【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
ダクト（４２）をガスタービンエンジンケーシングに結合する方法であって、
その半径方向内側部（２２６）と半径方向外側部（２２４）との間で延びるほぼ湾曲した断面輪郭を有する第１の内側管サポート部材（２２０）を、該第１の内側管サポート部材の半径方向内側部が前記ダクトに当接するように、該ダクトの周りで円周方向に延びる状態にする段階と、
外側管サポート部材（２０４）を、該外側管サポート部材が前記第１の内側管サポート部材の外面に当接するように、該第１の内側管サポート部材の周りで円周方向に延びる状態にする段階と、
前記外側管サポート部材を前記ガスタービンエンジンケーシングに結合する段階と、
を含むことを特徴とする方法。
【請求項２】
前記第１の内側管サポート部材（２２０）と鏡像関係になっている第２の内側管サポート部材（２２２）を、該第１の内側管サポート部材と該第２の内側管サポート部材との間にギャップ（２３２）が形成されるように、前記ダクト（４２）の周りで円周方向に延びる状態にする段階を更に含むことを特徴とする、請求項１に記載の方法。
【請求項３】
断熱材（２５０）及びセラミックスペーサ（２６０）の少なくとも1つを、該断熱材及びセラミックスペーサの少なくとも1つが前記第１の内側管サポート部材（２２０）と前記第２の内側管サポート部材（２２２）との間の前記ギャップ（２３２）を実質的に埋めるように、前記管（４２）の周りで延びる状態にする段階を更に含むことを特徴とする、請求項２に記載の方法。
【請求項４】
断熱材（２５０）を、前記第１の内側管サポート部材の内側部（２２６）及び外側部（２２４）に当接させて、前記管の周りで延びる状態にする段階と、
セラミックスペーサ（２６０）を、該セラミックスペーサが前記第１の内側管サポート部材（２２０）と該セラミックスペーサとの間にある前記断熱材に当接するように、前記管の周りで延びる状態にする段階と、
ラップ体（２０６）を、前記セラミックスペーサと前記外側管サポート部材（２０４）の少なくとも一部分（２８０）との周りで延びる状態にする段階と、
を更に含むことを特徴とする、請求項２に記載の方法。
【請求項５】
ダクト（４２）用のブラケット組立体（２００）であって、
半径方向外側部（２２４）と、前記ダクトに当接する半径方向内側部（２２６）と、該半径方向内側部と該半径方向外側部との間で延びかつほぼ滑らかな円弧形の断面輪郭を有する本体とを含み、前記ダクトの周りで円周方向に延びる第１の内側管サポート部材（２２０）と、
前記第１の内側管サポート部材の周りで円周方向に延びる外側管サポート部材（２０４）と、
を含むことを特徴とするブラケット組立体（２００）。
【請求項６】
前記本体が、前記半径方向内側部（２２６）と前記半径方向外側部（２２４）との間で延びるほぼ半楕円形の断面輪郭を有することを特徴とする、請求項５に記載のブラケット組立体（２００）。
【請求項７】
前記ダクト（４２）の周りで円周方向に延び、前記第１の内側管サポート（２２０）とほぼ鏡像関係になっている第２の内側管サポート（２２２）を更に含み、前記第１の内側管サポート及び前記第２の内側管サポートが間隔を置いて配置されて、その間にギャップ（２３２）を形成していることを特徴とする、請求項５に記載のブラケット組立体（２００）。
【請求項８】
ケーシングを含むガスタービンエンジン（１０）用のダクト（４２）であって、
内部を通して流体を移送するための管と、
前記管を前記エンジンケーシングに固定するためのブラケット組立体（２００）と、を含み、
前記ブラケット組立体が、前記管から前記エンジンケーシングへの熱伝達を減少させるように構成され、該ブラケット組立体が、第１の内側管サポート部材（２２０）と外側管サポート部材（２０４）とを含み、前記第１の内側管サポート部材は、該第１の内側管サポート部材の半径方向内側部（２２６）が前記管に当接するように、該管の周りで円周方向に延びており、前記外側管サポート部材は、前記第１の内側管サポート部材の半径方向外側部（２２４）が該外側管サポート部材に当接するように、前記内側管サポート部材の周りで円周方向に延びており、前記第１の内側管サポート部材が、該第１の内側管サポート部材の半径方向内側部と半径方向外側部との間で延びるほぼ半楕円形の断面輪郭を有する、
ことを特徴とするダクト（４２）。
【請求項９】
前記ブラケット組立体（２００）が、前記ダクト（４２）の周りで円周方向に延び、前記第１の内側管サポート（２２０）とほぼ鏡像関係になっている第２の内側管サポート（２２２）を更に含み、前記第１の内側管サポート及び前記第２の内側管サポートが間隔を置いて配置されて、その間にギャップ（２３２）を形成していることを特徴とする、請求項８に記載のダクト（４２）。
【請求項１０】
前記ブラケット組立体（２００）が、セラミックスペーサ（２６０）及び断熱材（２５０）の少なくとも1つを更に含み、前記セラミックスペーサ（２６０）及び断熱材（２５０）の少なくとも1つが、前記管の周りで円周方向に延びかつ前記第１の内側管サポート部材（２２０）と前記第２の内側管サポート部材（２２２）との間に形成された前記ギャップ（２３２）を実質的に埋めていることを特徴とする、請求項９に記載のダクト（４２）。
【手続補正２】
【補正対象書類名】明細書
【補正対象項目名】０００５
【補正方法】変更
【補正の内容】
【０００５】
各内側管サポートは、ダクト外部表面にほぼ平行になった尖端部において互いに接合された半径方向外側部分及び半径方向内側部分により形成されるほぼ切頭円錐形又はウィッシュボーン形の断面輪郭を有する。次に、内側管サポートの間の領域においてダクトの周りに断熱材が巻かれ、次に別体の外側管サポートが、内側管サポート及びダクトに対して溶接又は他の方法で接合される。これに代えて、外側管サポートが支持体に結合され、断熱材料が空洞中に注入される。管に沿いかつ支持体から距離をおいた位置における外部表面の接触温度の低下を促進するために、各内側管サポートに隣接するダクトの周りに断熱材が巻かれ、その後に、ポリイミド外側ラップ体又は類似の複合材ベースの材料から製作されたラップ体が、断熱材と外側管サポートの一部分との周りで延びる状態にされる。次に取付けブラケットが、外側管サポートに結合される。別の実施形態では、外側管サポートは、鋳造品の形態で取付けブラケットに組み入れられる。
【特許文献１】米国特許９６５４５号明細書
【特許文献２】米国特許３９８６２０号明細書
【特許文献３】米国特許５２０５１４号明細書
【特許文献４】米国特許６００９８８号明細書
【特許文献５】米国特許８２１５６４号明細書
【特許文献６】米国特許１４５５９７１号明細書
【特許文献７】米国特許１５０４３６３号明細書
【特許文献８】米国特許１５８９７８１号明細書
【特許文献９】米国特許２１０９３４４号明細書
【特許文献１０】米国特許３１３０７４７号明細書
【特許文献１１】米国特許３４１８８１０号明細書
【特許文献１２】米国特許3449937号明細書
【特許文献１３】米国特許３６７４０１４号明細書
【特許文献１４】米国特許５４３１５０７号明細書
【特許文献１５】米国特許３８３８０８３号明細書
【特許文献１６】米国特許４４１５１８４号明細書
【特許文献１７】米国特許５１０９８８８号明細書
【特許文献１８】米国特許５１２７６７９号明細書
【特許文献１９】米国特許５１８８３９８号明細書
【特許文献２０】米国特許５２６３３１２号明細書
【特許文献２１】米国特許５３２１２０５号明細書
【特許文献２２】米国特許５３４０１６３号明細書
【特許文献２３】米国特許５３６９９５２号明細書
【特許文献２４】米国特許６５２３３５２号明細書
【特許文献２５】米国特許５３９６９１８ 号明細書
【特許文献２６】独国特許１１２２４６９号明細書
【特許文献２７】英国２１１４６９４特許号明細書
【特許文献２８】オランダ特許９００４１号明細書
【特許文献２９】露国特許２７８３２２号明細書
【特許文献３０】国際公開第９２／１５８１６号公報パンフレット